(57)【要約】【課題】毛染めやカラーリングをするときに衣服を覆うように羽織ることで、付着した染剤を確実に吸収し、染剤による衣服や床の汚れを確実に防止できる紙製ケープを提供する。【解決手段】裏面に防水層２をラミネートした吸水紙３を用いてケープ本体１ａを形成し、このケープ本体１ａに、首孔４とこの首孔４からケープ本体１ａの一辺に達する切れ目５を設け、前記吸水紙３が、パルプとポリエステル繊維を漉き込んだクレープ紙を用いて形成され、この吸水紙３が２０〜５０ｇ／１ｍ２の量目で、防水層２の厚みが２０μになっている。【選択図】図１
0003139048.tif 000002
【実用新案登録請求の範囲】
【請求項１】
裏面に防水層をラミネートした吸水紙を用いてケープ本体を形成し、このケープ本体に、首孔とこの首孔からケープ本体の一辺に達する切れ目を設け、前記吸水紙が、パルプとポリエステル繊維を漉き込んだクレープ紙で形成され、この吸水紙が２０〜５０ｇ／１ｍ２の量目になっている紙製ケープ。
【請求項２】
上記ケープ本体が、幅７７０ｍｍ×長さ９００ｍｍの大きさの角形に形成され、上記首孔は、ケープ本体の幅方向に対して中央部で長さ方向に対してケープ本体の一辺から距離３００ｍｍ程度を置いた位置に偏在して設けられ、この首孔が直径１２０ｍｍ程度の円形孔に形成され、上記切れ目は、円形孔の周縁とケープ本体の一辺を最短距離で結ぶように設けられている請求項１に記載の紙製ケープ。
【請求項３】
上記防水層は、厚みが２０μのポリエチレンで形成されている請求項１又は２に記載の紙製ケープ。
【考案の詳細な説明】
【技術分野】
【０００１】
この考案は、各家庭で頭髪に毛染めやカラーリングをする場合、また、理美容院やエステ等においての毛染めやカラーリング時に使用し、衣服や皮膚、床面が染剤で汚れるのを防ぐようにする使い捨ての紙製ケープに関する。
【背景技術】
【０００２】
頭髪に毛染めやカラーリングをする場合、垂れ落ちたり飛散した染剤で大切な衣服が汚れたり、皮膚に染剤が付着するのを防止する対策として、衣服を覆うためのケープが使用されている。
【０００３】
従来のケープは、所定の大きさを有する合成樹脂シートを用い、このシートに首孔を設けて形成され、毛染めやカラーリングのときに、首孔を首に通してケープを羽織ることで衣服を覆い、合成樹脂シートの防水性により、髪の毛等から垂れ落ちたり飛散した染剤から衣服や皮膚を保護するようにしている（特許文献１参照）。
【特許文献１】特開２００６−２５５２６６号公報
【考案の開示】
【考案が解決しようとする課題】
【０００４】
ところで、合成樹脂シートを用いて形成されたケープは、防水性に優れている反面、吸水性が全くないため、流動性のある染剤がかかった場合、染剤はケープの表面に沿ってそのまま垂れ落ち、その結果衣服や皮膚、床などを汚すという問題がある。
【０００５】
そこで、この考案の課題は、上記した問題点を解決するため、付着した染剤を確実に吸収することができ、そのまま下に垂れ落ちて衣服や床などを汚すというようなことがなく、裏面にラミネートした防水層が衣服の汚れ防止の役目を果たすことができる使い捨ての紙製ケープを提供することにある。
【課題を解決するための手段】
【０００６】
上記の課題を解決するため、この考案は、裏面に防水層をラミネートした吸水紙を用いてケープ本体を形成し、このケープ本体に、首孔とこの首孔からケープ本体の一辺に達する切れ目を設け、前記吸水紙が、パルプとポリエステル繊維を漉き込んだクレープ紙で形成され、この吸水紙が２０〜５０ｇ／１ｍ２の量目になっている構成を採用したものである。
【０００７】
上記ケープ本体は、幅７７０ｍｍ×長さ９００ｍｍの大きさの角形に形成され、上記首孔は、ケープ本体の幅方向に対して中央部で長さ方向に対してケープ本体の一辺から距離３００ｍｍ程度を置いた位置に偏在して設けられ、この首孔が直径１２０ｍｍ程度の円形孔に形成され、上記切れ目は、首孔の周縁とケープ本体の一辺を最短距離で結ぶように設けられている構造とすることができる。
【０００８】
また、防水層は、厚みが２０μのポリエチレンで形成されているようにすることができる。
【０００９】
ここで、紙製ケープは、平面的に十分な大きさを有し、羽織ったときに身体の前面から肩、背面を確実に覆うことができ、ケープ本体に付着した染剤を吸水紙がしっかりと吸着、吸水して垂れ落ちの発生をなくし、また、裏面の防水層が衣服や肌に染剤が付くのを防ぐことになる。
【考案の効果】
【００１０】
この考案によると、ケープ本体の形成に用いた吸水紙が、パルプとポリエステル繊維を漉き込んで形成され、この吸水紙が２０〜５０ｇ／１ｍ２の量目になっているので、クレープ紙の構造と紙厚の確保によって吸水性に優れたものとなり、付着した染剤を確実に吸着、吸収することができ、そのまま下に落ちて衣服や床などを汚すというようなことがなく、吸水紙の裏面にラミネートした防水層が衣服や肌の汚れ防止の役目を果たすことができる。
【００１１】
また、吸水紙は、ポリエステル繊維の漉き込みにより強度的にも優れたものとなり、簡単に破れるようなことがない紙製のケープとなる。
【００１２】
更に、表面が吸水紙で形成されているので、使用済みの後は、雑巾や手拭として使用することができ、材料の有効利用が図れる。
【考案を実施するための最良の形態】
【００１３】
以下、この考案の実施の形態を図示例に基づいて説明する。
【００１４】
図示のように、紙製ケープ１は、裏面に防水層２をラミネートした吸水紙３を用いてケープ本体１ａを形成し、このケープ本体１ａに首孔４とこの首孔４からケープ本体１ａの一辺に達する切れ目５を設けた構造になっている。
【００１５】
上記吸水紙３は、パルプとポリエステル繊維を漉き込んだクレープ紙を用い、この吸水紙３が２０〜５０ｇ／１ｍ２の量目になっていると共に、上記防水層２は、ポリエチレンを用い、２０μの厚みになっている。
【００１６】
ここで、吸水紙３の量目が２０ｇ／１ｍ２以下であると、十分な厚みが確保できないので吸水性に劣ると共に、量目を５０ｇ／１ｍ２以上としても、ケープに要求される吸水性が過剰となって無駄であり、材料コストが高くなるので不経済である。
【００１７】
また、防水層２は吸水紙３の補強にもなり、２０μより薄いと補強の効果が少なく、また、２０μより厚いとケープに要求される機能が過剰となって材料コストが高くなる。
【００１８】
上記紙製ケープ１の大きさは、羽織ったときに衣服を有効に覆うことができるように設定すればよいが、例えば、ケープ本体１ａは、例えば幅７７０ｍｍ×長さ９００ｍｍの大きさの角形に形成され、上記首孔４は、ケープ本体１ａの幅方向に対して中央部で長さ方向に対してケープ本体１ａの一辺から距離３００ｍｍ程度を置いた位置に偏在して設けられ、この首孔４が直径１２０ｍｍ程度の円形孔に形成され、上記切れ目５は、首孔４の周縁とケープ本体１ａの一辺を最短距離で結ぶように設けられている。
【００１９】
この考案の紙製ケープ１は、上記のような構成であり、図３のように、ケープ本体１ａを吸水紙３が表になるようにし、開いた切れ目５を首に後ろ側から通して首孔４を首に嵌め、首孔４から前の部分を身体の前に垂らすように羽織れば、身体の前面から肩、背面を確実に覆うことができ、首孔４はケープ本体１ａの長さ方向に対して一辺側に偏在して設けられているので、ケープ本体１ａは背中を十分な長さで覆うことになり、また、切れ目５で両側に分離されている前面部分は肩の下がり角度によって自然と前後に重なり状となり、衣服の前面を確実に覆うことができる。
【００２０】
上記のように、切れ目５は紙製ケープ１を羽織ったときに閉じるので、首孔４は鍵孔状となり、紙製ケープ１が背中の方にずり落ちるのを有効に防ぐことができる。
【００２１】
毛染めやカラーリング時に、流動性のある染剤が髪の毛等から垂れ落ちたり飛散して紙製ケープ１に付着すると、染剤は吸水紙３には吸着、吸引され、この吸水紙３は、クレープ紙の構造と紙厚の確保によって吸水性に優れているので、付着した染剤を確実に素早く吸収することができ、染剤がそのまま垂れ落ちて衣類や床などを汚すというようなことがない。
【００２２】
また、吸水紙３に付着した染剤は、裏面にラミネートした防水層２によって裏面側に染み出すことがなく、従って、吸水紙３に付着した染剤で衣服や肌が汚れることがない。
【００２３】
上記紙製ケープ１の使用後は、ケープ本体１ａを後方に引き、開いた切れ目５を首から抜き取ればよく、表面が吸水紙３で形成されているので、使用済みの後は、吸水紙３を雑巾や手拭として使用することができる。
【００２４】
この紙製ケープ１は、防水層２と吸水紙３で形成されているので、全体を嵩低く折り畳むことができ、染剤とセットにして販売するようにしてもよいと共に、紙製ケープ１は使用後の焼却にも対応できる。
【図面の簡単な説明】
【００２５】
【図１】この考案に係る紙製ケープの一部切り欠き斜視図
【図２】図１の矢印II−IIに沿う拡大した縦断面図
【図３】この考案に係る紙製ケープの使用状態を示す斜視図
【符号の説明】
【００２６】
１        紙製ケープ
１ａ      ケープ本体
２        防水層
３        吸水紙
４        首孔
５        切れ目
【図１】
0003139048.tif 000003
【図２】
0003139048.tif 000004
【図３】
0003139048.tif 000005